(57)【要約】【課題】本発明は、コストアップがなく、メンテナンスの必要性もない、脱水すすぎができる洗濯機を提供することを目的とする。【解決手段】本発明は、収納した洗濯物６５を洗う洗濯槽６１と、前記洗濯槽６１を回転駆動する電動機と、前記洗濯槽の上側から洗濯水を注ぐ注水装置を備え、前記注水装置は、注水ケース３２と、前記注水ケース３２が出し入れ自在に収まるケース収納枠部を有し、前記ケース収納枠部に設けた注水ケース３２の出入口５２が前記洗濯槽６１の内周上側に位置している洗濯機において、前記出入口の口縁下部には注ぐ洗濯水を前記洗濯槽６１の内側方向に導く注水案内鍔部５５を設け、前記注水案内鍔部５５には注ぐ洗濯水が前記洗濯槽６１の内周側に沿うように落ちる落水孔６０を設けたことを特徴とする。【選択図】図５
2012125324.tif 000002
【特許請求の範囲】
【請求項１】
収納した洗濯物を洗う洗濯槽と、前記洗濯槽を回転駆動する電動機と、前記洗濯槽の上側から洗濯水を注ぐ注水装置を備え、
前記注水装置は、注水ケースと、前記注水ケースが出し入れ自在に収まるケース収納枠部を有し、前記ケース収納枠部に設けた注水ケースの出入口が前記洗濯槽の内周上側に位置している洗濯機において、
前記出入口の口縁下部には注ぐ洗濯水を前記洗濯槽の内側方向に導く注水案内鍔部を設け、
前記注水案内鍔部には注ぐ洗濯水が前記洗濯槽の内周側に沿うように落ちる落水孔を設けたことを特徴とする洗濯機。
【請求項２】
請求項１記載の洗濯機において、
前記洗濯槽は、洗濯槽の内底中央に設ける回転自在なる回転翼と、洗濯槽の内周上部に設けるバランスリングを備え、
前記落水孔は、前記回転翼の外周と前記バランスリングの内周との間に跨る範囲の上方に位置することを特徴とする洗濯機。
【請求項３】
請求項１−３の何れかに記載の洗濯機において、
前記落水孔からの落下洗濯水は遠心脱水で前記洗濯槽の内周面に張り付いた洗たく物に散布されることを特徴とする洗濯機。
【請求項４】
請求項１記載の洗濯機において、
前記注水ケースは洗剤投入室を有し、
前記洗剤投入室は底部が前側から奥側に向かって下ように傾き、奥側に設けられた洗剤流出口に寄せて前記底部から立つ複数の流止ピンを有し、前記流止ピンの数が洗剤流出口から注水ケースの前側に行くに従い中央から両端側に向かって徐々に少なくなることを特徴とする洗濯機。
【発明の詳細な説明】
【技術分野】
【０００１】
本発明は、遠心脱水後に洗濯槽を回しながら洗濯物にすすぎ水を散布してすすぎを行うすすぎ方式を備えた全自動洗濯機に関する。
【背景技術】
【０００２】
このすすぎ方式を備えた洗濯機は、例えば、特開２００１−２９６８８号公報（特許文献１）に記載されている。
【０００３】
特許文献１に示す洗濯機は、洗い運転後にミスト（霧状噴霧）供給装置で洗濯物に噴霧水を吹き付けながら洗濯槽を高速回転して脱水をする。
【先行技術文献】
【特許文献】
【０００４】
【特許文献１】特開２００１−２９６８８号公報
【発明の概要】
【発明が解決しようとする課題】
【０００５】
上記特許文献１に示す洗濯機は次のような課題がある。
【０００６】
噴霧水を生成するミスト供給装置が必要になる。これに加え、水道水をミスト供給装置に導く水路は水圧（配管系に内圧）が高くなるので高圧に耐える配管にしなければならなく、コストアップになる。
【０００７】
また、ミスト供給装置はノズル詰まりが生じやすく、メンテナンスが必要になるので使い勝手が良くない。
【０００８】
また、高速回転している洗濯物に噴霧水が衝突する際に脱水回転時に発生する風圧により、霧化された霧が周辺に飛散し、水濡れが生じる。
【０００９】
本発明は、上記の課題に鑑み、コストアップがなく、メンテナンスの必要性もない、脱水すすぎができる全自動洗濯機を提供することを目的とする。
【課題を解決するための手段】
【００１０】
本発明は、収納した洗濯物を洗う洗濯槽と、前記洗濯槽を回転駆動する電動機と、前記洗濯槽の上側から洗濯水を注ぐ注水装置を備え、前記注水装置は、注水ケースと、前記注水ケースが出し入れ自在に収まるケース収納枠部を有し、前記ケース収納枠部に設けた注水ケースの出入口が前記洗濯槽の内周上側に位置している洗濯機において、前記出入口の口縁下部には注ぐ洗濯水を前記洗濯槽の内側方向に導く注水案内鍔部を設け、前記注水案内鍔部には注ぐ洗濯水が前記洗濯槽の内周側に沿うように落ちる落水孔を設けたことを特徴とする。
【発明の効果】
【００１１】
本発明は注水案内鍔部に落水口を設ける構成であるので、ミスト供給装置を備えるものとは違ってコストアップがなく、ノズル詰まりがないのでメンテナンスが不要である。
【図面の簡単な説明】
【００１２】
【図１】本発明の実施例に係るもので、洗濯機を上側から見た外観斜視図である。
【図２】本発明の実施例に係るもので、注水ケース３２をケース収納枠部から引き出したとこを上側から見た斜視図である。
【図３】本発明の実施例に係るもので、ケース収納枠部に収まった注水ケース３２をケース収納枠部の天板がない状態で上側から見た斜視図である。
【図４】本発明の実施例に係るもので、注水ケース３２とケース収納枠部を有する注水装置を断面した縦断面図である。
【図５】本発明の実施例に係るもので、ケース収納枠部を前側から見た斜視図である。
【図６】本発明の実施例に係るもので、図４のＡ部を拡大したＡ部拡大図である。
【図７】本発明の実施例に係るもので、水案内鍔部に設けた落水口の位置を回転翼の外周およびバランスリング６３の内周との関係で示した図である。
【図８】本発明の実施例に係るもので、水案内鍔部に設けた落水口の位置を洗濯槽６１に張り付いて洗濯物６５との関係で示した図である。
【図９】本発明の実施例に係るもので、洗濯機の制御回路を示すブロック図である。
【図１０】本発明の実施例に係るもので、洗濯機の運転工程を最初の給水から最終の排水脱水に亘って示す図である。
【発明を実施するための形態】
【００１３】
以下、本発明の実施形態に係わる実施例について、図を引用して説明する。
【００１４】
まず、図１に沿って洗濯機の概要を述べる。
【００１５】
図１に示す洗濯機の外筺体は、外枠１、外枠１を下から支持する外枠ベース２、外枠１の上に設けられたトップカバー３、トップカバー３に開閉自在に備わる蓋４を有する。洗濯槽６１（図示せず）は外枠１の内部に備わる。洗濯槽６１を収納する外槽（図示せず）は外枠１の内部にあって外枠１に吊り下げ支持される。吊り下げ支持する支持機構は、外槽内で高速回転する洗濯槽６１が起こすアンバランス振動を緩和する防振手段が備える。
【００１６】
洗濯脱水モータは外槽の外底部に設けられる。洗濯脱水モータで、洗濯槽６１を回転駆動する。洗濯脱水モータは、洗濯槽６１の内底部中央に回転自在に備わる回転翼を回転駆動する。洗濯槽６１は一方向の回転であるが、回転翼は正逆回転が繰り返される回転で洗濯物６５を動かし洗濯物６５に機械力を与え、付着した汚れを除去するものである。
【００１７】
洗濯槽６１は底部があり、その側面部は全体的に筒形状をしている。筒形状の胴体部には多数の脱水穴６６が設けられており、高速回転で脱水穴６６から遠心力により洗濯物６５に含まれている水分を脱水する。
【００１８】
洗濯槽６１は上部に高速脱水時の振動を低減する目的で流体バランサー６３を備えている。遠心脱水時、洗濯物６５の片寄りによるアンバランスはこの流体バランサー６３で抑えられて振動は緩和される。
【００１９】
図９に沿って洗濯機を運転する制御回路に基づいて説明する。
【００２０】
制御回路は、図１に示すトップカバー３の前側に設けたコントロールパネル５の内部に備えたコントロール基板（図示せずす）に備わる。制御回路は、マイコンで作られた制御ユニット部１０１、入力回路部１０２、出力駆動回路部１０３を有する。
【００２１】
制御ユニット部１０１は、ＣＰＵ（中央制御部）１０５、タイマー１０６、メモリー１０７、出力ポート１０８、入力ポート１０９を有する。ＣＰＵ１０５は演算部１０５ａ、制御部１０５ｂを有する。メモリー１０７はＲＡＭとＲＯＭを有する。
【００２２】
入力回路部１０２には、電源スイッチ１２１、水位センサー１２２、ＩＣホール素子１２３、蓋開閉センサー１２４、全自動選択キー１２５、マニアル設定キー１２６、布量センサー１２７が接続される。各種のスイッチやセンサーの情報信号は入力回路部１０２、入力ポート１０８を通じてＣＰＵ（中央制御部）１０５に情報伝達が行われる。
【００２３】
出力駆動回路部１０３には、洗濯・脱水モータであるＤＣブラシレスモータ１３１、給水電磁弁１３２、排水電磁弁１３３、蓋ロックソレノイド１３４、終了ブザー１３５が接続される。ＤＣブラシレスモータ１３１、排水電磁弁１３５を含む各種電気機器は制御ユニット部１０１（制御手段）の制御のもとで、出力駆動回路部１０３を通じて供給される電力で作動する。
【００２４】
給水電磁弁１３２は、開閉により、水道水の給水、停止をする。水道水の給水は注水装置を通じて洗濯槽６１に注水される。排水電磁弁１３３は、開閉により、注水された水を洗濯槽６１に貯めたり、洗濯槽６１内の水を排水したりする。
【００２５】
図２〜図６に沿って注水装置、及びその関連に関して説明する。
【００２６】
注水装置は水道水を洗濯槽６１に注水するもので、図１に示すように、トップカバー３の後側内部に設けられる。注水装置はケース収納枠部３１と注水ケース３２を有する。注水ケース３２はケース収納枠部３１に出し入れ自在に収まる。
【００２７】
図４に示すように、注水装置は上流側に給水部３３を有する。給水部３３はケース収納枠部３１を形成する天板３４の上側に設けられる。給水部３３の囲壁部３５は天板３４に接続されている。給水部３３の上板３４は囲壁部３５と別体に作り、ネジまたは止手段で固定する。
【００２８】
給水部３３は囲壁部３５に外側に突出する導水筒３７を有する。この導水筒３７はパイプ（図示せず）を介して給水電磁弁１３２（図９に示す）に接続され、水道水は導水筒３７を介して給水部３３に導く。給水部３３は水道の水圧緩衝の目的でスポンジ等の整流体３８を内部に備える。給水部３３に流入した水道水は整流体３８で勢いが緩和され、天板３４に設けられた複数の給水穴４５から偏りなく注水ケース３２に流れ込むようになる。
【００２９】
注水ケース３２は、図３に示すように、注水ケース３２を出し入れ方向から見て左右隣り合わせで洗剤投入室４０と仕上げ剤投入室４１を有する。洗剤投入室４０と仕上げ剤投入室４１は注水ケース３２内を前後方向に延在する仕切部４２で分けられる。
【００３０】
洗剤投入室４０の底部は左右の両端側を高く、中央を低くして洗剤が中央に集るようにしている。洗剤投入室４０は奥側に洗剤流出口４８を有する。洗剤投入室４０の底部は前側から奥側の洗剤流出口４８に向かって下る傾きになっているので、溶けた洗剤は洗剤投入室４０内に淀まることなく洗剤流出口４８から流れ出る。
【００３１】
また、洗剤投入室４０内には、天板３４に設けられた複数の給水穴４５によって行き渡った給水が行われる。このため、洗剤投入室４０に入れられた洗剤４４は全体に亘って溶かされる。洗剤投入室４０は、洗剤流出口４８側に寄りに底部から立つ複数の流止ピン４３を有する。
【００３２】
流止ピン４３の数は洗剤流出口４８から注水ケース３２の前側に行くに従い中央から両端側に向かって徐々に少なくなる。洗剤投入室４０には、洗剤４４（図４に示す）が流止ピン４３より前側寄りに置かれる。
【００３３】
洗剤４４は天板３４に設けられた給水穴４５から注がれる水で溶けて洗剤流出口４８から流れ出る。溶けずに洗剤流出口４８に向かう洗剤は流止ピン４３で受け止められて集中的に水が当たり溶かされるので、未溶解洗剤の流出は阻止される。また、流止ピン４３の数は中央が少なく、両端側が多い分布になっているので、溶けながら流れる洗剤流は水量の多い中央に集まり、洗剤は良く溶ける。
【００３４】
仕上げ剤投入室４１はサイホン機構４６を有する。仕上げ剤投入室４１の水位が所定水位値を超えるとサイホンの原理で水に溶けた仕上げ剤がサイホン機構４６を通じて仕上げ剤投入室４１から排出される。
【００３５】
注水ケース３２は前側に前面パネル４９を有する。前面パネル４９は表面が平坦である。取手４７は前面パネル４９の表面中央に設ける。取手４７を掴んで注水ケース３２の出し入れをするので、前面パネル４９の表面が平坦でも注水ケース３２の出し入れは容易である。
【００３６】
注水装置のケース収納枠部３１は、図２〜図５に示すように、トップカバー３に設けられる。トップカバー３は中央が大きく開口した洗濯物６５が出し入れされる出入口５０を有する。縦置きの洗濯槽６１は入口５０の下方に位置する。衣類出入口が洗濯物６５出入口５０の直下に来るので縦置きの洗濯槽６１の内側を見ながら洗濯物６５の出し入れができる。
【００３７】
ケース収納枠部３１は注水ケース３２を出し入れする出入口５１を有する。出入口５１は洗濯物６５出入口５０の後部側に設けられるので、洗濯槽６１の真上に位置する。出入口５１の縁取りになっている口縁枠５２はトップカバー３に設けられた洗濯物６５の出入口５０の表面より前方に突出するように形成される。
【００３８】
口縁枠５２を設けた場合には、口縁枠５２に囲われたところが出入口５１になる。注水ケース３２がケース収納枠部３１に収まると、前面パネル４９は、図４に示すように、出入口５１の内側に嵌る。
【００３９】
図４に示すように、ケース収納枠部３１は奥側から出入口５１に亘って延在する底部５３を有する。底部５３は図２に示す出入口５１に向かって下る傾斜になっており、出入口５１に近い途中で落ち込む段部５４を有する。
【００４０】
そして、図４に示す底部５３は段部５４の下端から出入口５１に向かって延びているところを注水案内鍔部５５と云う。注水案内鍔部５５も出入口５１に向かって下る傾斜になっている。底部５３は全体に亘って出入口５１側に下る傾斜になっているので、洗剤流出口４８、サイホン機構４６から流れ出る洗剤、仕上げ剤、洗濯水、すすぎ水は出入口５１に向かって流れる。
【００４１】
洗剤投入室４０の底部の外底面やケース収納枠部３１の底部５３で出来る隙間５６は、図４に示すように、出入口５１に向かって広がる形状になる。段部５４、注水案内鍔部５５、前面パネル４９で囲われて注水堰５７が形成される。
【００４２】
前面パネル４９の下端と注水案内鍔部５５の間にできる間隙５８は１〜５ｍｍ程度である。前面パネル４９の下端を除く前面パネル４９の上端、および両側端には、口縁枠５２との間にほとんど間隙がなく、注水ケース３２を出し入れが損なわれない程度のギャップになっている。
【００４３】
注水堰５７や隙間５６を介した水は、間隙５８から流れ出て洗濯槽６１に注がれる。ギャップからの流出は極めて少ないので、間隙５８から勢い良く注水が流れ出る。図５に示す注水案内鍔部５５の両端に設けた切欠き溝５９からも流れ出するので、洗濯槽６１に広がった注水が行われる。
【００４４】
注水案内鍔部５５は、洗濯水やすすぎ水が洗濯槽６１の内周面に沿うよう落下する落水孔６０を有する。落水孔６０は出入口５１の間口幅方向に並んで複数設けられている。落水孔６０は直径が５ｍｍ前後で、そのピッチは７〜１０ｍｍ程度で配列されている。
【００４５】
落水孔６０は、段部５４と前面パネル４９との間で中間域に位置する。この落水孔６０の位置は、図７に示すように、洗濯槽６１の内底部に回転自在に備わる回転翼６２の外周と、洗濯槽６１の上部内周に設けたバランスリング６３の内周との間隔幅Ｗの間に入るように設けられる。また、間隔幅Ｗは、バランスリング６３の上面および内周面を被う槽カバー６４の内周と回転翼６２の外周との間幅でも良い。
【００４６】
洗濯物６５は遠心脱水により、図８に示すように、洗濯槽６１の胴体部に張り付く。この張り付く状態で注水装置に水道水を供給すると、図６に示すように、注水案内鍔部５５の間隙５８および落水孔６０から洗濯槽６１に注水される。間隙５８からの注水は回転翼６２のところに落ちる。洗濯槽６１の胴体部に張り付かずに洗濯槽６１の内底部に洗濯物６５があると、注水は洗濯物６５に散布される。
【００４７】
落水孔６０からの注水は胴体部に張り付いた洗濯物６５に散布される。この注水は洗濯槽６１と回転翼を一緒に回転させながら行う。洗濯物６５に散布された水は遠心脱水されるので、洗濯物６５に含まれる洗剤分を除去する脱水すすぎになる。
【００４８】
脱水しながらのすすぎであるので、洗濯槽６１の回転を止めてする貯めすすぎに比べ、すすぎ時間が短縮される。また、貯めすすぎに比べ、すすぎ水量が少なく、節水になる。
【００４９】
この脱水すすぎでは、洗濯槽６１の回転数を３００〜５００（ＲＰＭ）回転程度にする。通常脱水の回転数は９００（ＲＰＭ）回転程度で注水をしない。脱水すすぎを３００〜５００（ＲＰＭ）回転程度に回転数を抑えることで、注水との衝突音や水跳ねを抑えることができる。
【００５０】
また、この注水案内鍔部５５に落水孔６０を設けた構成の脱水すすぎは、「発明が解決しようとする課題」で述べたミスト供給装置を備えるものとは違ってコストアップにならなく、落水孔６０の詰まりが生じないのでメンテナンスが不要である。
【００５１】
すなわち、注水装置に注水用の間隙５８を設けるために備える注水案内鍔部５５に落水孔６０を設けるだけで、遠心脱水で洗濯槽６１に張り付いた洗濯物６５にすすぎ水を散布できるので、ミスト供給装置（水道水の供給側は高圧配管が必要）を備えるものに比べ極めて構成が簡単で安価になる。
【００５２】
また、落水孔６０は直径が５ｍｍ程度の孔で目詰まりが生じにくい。洗剤による詰まりが生じても注水中に洗剤が溶けて自然に目詰まりが解消されるのでメンテナンスの必要性も少ない。
【００５３】
また、注水案内鍔部５５に設ける落水孔６０は注水装置の出し入れの間口幅方向に並んで複数設けられるので、洗濯槽６１の周方向（回転方向）に拡がったすすぎ水の散水が行なわれ、すすぐ範囲が拡がる。更に、複数の落水孔６０が間口幅方向に並ぶので、多少の目詰まりが生じても落水孔６０からの散水が皆無になることはなく、脱水すすぎ不良を少なく抑えることができる。
【００５４】
また、落水孔６０は回転翼６２の外周と、洗濯槽６１の上部内周に設けたバランスリング６３の内周との間隔幅Ｗの間に入る上方の位置（真上）に設けられている。この位置関係が保たれていれば、落水孔６０からのすすぎ水は洗濯槽６１に張り付いた洗濯物６５に無駄なく散布されるので、脱水すすぎが良く行われる。
【００５５】
更にケース収納枠部３１の前側には、段部５４、注水案内鍔部５５、前面パネル４９で囲われて形成される注水堰５７が設けられる。この注水堰５７に水が貯まった状態で落水孔６０からすすぎ水が散布される。これにより、水が貯まる注水堰５７を設けない場合に比べ、複数の落水孔６０から出るすすぎ水量はおおむね揃うので、すすぎ斑が抑えられる。
【００５６】
また、脱水すすぎは、洗濯槽６１にすすぎ水を一杯にしてすすぐ貯めすすぎとは違い、すすぎ水の散布により洗濯槽６１に張り付いている洗濯物６５に含まれる濃度の高い洗剤を遠心脱水で抜くので少ないすすぎ水量ですすぐことができる。
【００５７】
この脱水すすぎは、すすぎ水の散布を間欠的にすることが望ましい。遠心脱水で洗濯槽６１の外周と洗濯槽を囲う外槽との間で泡が発生すると、その泡が脱水回転時洗濯槽６１の回転抵抗になって回転数が低下する。
【００５８】
すすぎ水を間欠的に供給することですすぎ水の給水量が制限され、洗濯槽６１と洗濯槽６１を囲う外槽間に洗剤液が溜まることが無くなり脱水回転中に泡の発生を抑える事ができ、洗濯物６５に含まれる水分を良く脱水でき、すすぎ性能の向上が図れる。
【００５９】
洗剤および仕上げ剤は、注水装置の洗剤投入室４０と仕上剤投入室４１に投入しておくことで、後述する洗濯機の運転工程のフローに沿って自動的に注水装置より洗濯槽６１に注入されるので使い易い。
【００６０】
洗剤投入室４０で溶かれた高濃度の洗剤液は注水装置の間隙５８および落水孔６０から洗濯槽６１内の洗濯物６５に拡げて散布されるので、洗剤液の散布むらが少ない。
【００６１】
図１０に沿い、洗濯機の洗い工程から最終脱水工程に亘るフローについて説明する。
【００６２】
電源スイッチ１２１を入れ、スタートボタンを押すと、洗濯槽６１の底部中央に位置する回転翼が正・逆転に回転する。洗濯物６５の重さに比例した抵抗に依存する回転翼の回転を布量センサー１２７で検知して洗剤量や洗濯に必要な水量が算定される。その後、給水電磁弁１３２が開放作動して洗濯槽６１に水道水が洗濯水として供給される。
【００６３】
水道水は注水装置を経て給水される。注水装置内の洗剤が溶かれ洗濯槽６１に供給される。水位センサー１２２は洗濯槽６１に供給される水量を検知する。水位センサー１２２の検知水量が予め算定した洗濯水量に達すると、給水電磁弁１３２が閉成作動して給水が完了する。
【００６４】
洗い工程に移って洗濯物６５の洗いが行われる。ＤＣブラシレスモータ１３１である洗濯脱水モータが正逆転して洗濯が行われる。この洗い工程では洗濯槽６１を止めたままで回転翼だけが正逆転し、洗濯物６５を攪拌して洗濯が行われる。
【００６５】
洗い工程を終えると、すすぎ１工程に移行する。すすぎ１工程では、まず排水脱水（１）をする。排水脱水（１）は排水電磁弁１３３を開放作動して洗濯槽６１の洗濯水を抜いたら洗濯脱水モータの一方向による回転で洗濯槽６１を回す。
【００６６】
この脱水回転では約９００（ＲＰＭ）回転程度の高速で洗濯槽６１を回す。洗濯物６５は遠心力で、図８に示すように、洗濯槽６１の胴体部に張り付き、洗濯物６５に含まれる水分は遠心脱水されて脱水穴６６から洗濯物６５に含まれる水分が遠心力により脱水が行われる。
【００６７】
排水脱水（１）を終えると、脱水すすぎ（２）に移行する。脱水すすぎ（２）には、高速で回転していた洗濯槽６１の回転速度を３００〜５００（ＲＰＭ）回転程度に減速させて移行する。洗濯槽６１の回転を止めずに排水脱水（１）から脱水すすぎ（２）に移行するので、移行する際のロスタイムを少なくできる。
【００６８】
脱水すすぎ（２）では、回転速度を３００〜５００（ＲＰＭ）回転程度に保ち、排水電磁弁１３３を開放作動にしたまま、給水電磁弁１３２を開放作動させて注水装置から注水する。この注水で、落水孔６０から流下するすすぎ水は洗濯槽６１に張り付いている洗濯物６５に散布されて吸収される。
【００６９】
洗濯物６５に含まれる洗剤は吸収されたすすぎ水とともに遠心脱水されるので、洗濯物６５に含まれる洗剤分を減少させるすすぎが行われる。脱水すすぎ（２）は、脱水とすすぎが同時に進行するので、貯めすすぎ（給水してすすぎ水を貯め、回転翼を回してすすぎを行う方法）に比べ、すすぎ時間が短縮化される。
【００７０】
注水装置に設けられた注水用の間隙５８から流出するすすぎ水は回転翼の上に散布されて飛び散り、洗濯槽６１に張り付いている洗濯物６５に吸収されて遠心脱水される。また、洗濯槽６１に張り付かずに洗濯槽６１の底部に残った洗濯物６５があるときは、その洗濯物６５に間隙５８からのすすぎ水が散布され、洗濯物６５に吸収されて遠心脱水される。
【００７１】
脱水すすぎ（２）を終えたら排水脱水（１）に移行する。排水脱水（１）では９００（ＲＰＭ）回転程度の高速で洗濯槽６１を回し、洗濯物６５に残った水分を更に良く脱水する。すすぎ１工程での排水脱水（１）を終えたらすすぎ２工程に移行する。すすぎ２工程では、すすぎ１工程と同様な脱水すすぎ（２）が行われる。
【００７２】
すすぎ２工程での脱水すすぎ（２）を終えたら最終脱水工程に移行する。最終脱水工程では洗濯物６５に残った水分を十分に脱水するので、すすぎ１工程の排水脱水（１）よりも時間を長くする。
【００７３】
上述した実施例の主な特徴は、以下のとおりである。
（１）．収納した洗濯物６５を洗う洗濯槽６１と、前記洗濯槽６１を回転駆動する電動機と、前記洗濯槽６１の上側から洗濯水を注ぐ注水装置を備え、注水ケース３２と、前記注水ケース３２が出し入れ自在に収まるケース収納枠部を有する注水装置は、前記ケース収納枠部に設けた注水ケース３２を出入する出入口が前記洗濯槽６１の内周上側に位置している洗濯機において、前記出入口の口縁下部には注がれる洗濯水を前記洗濯槽６１の内側方向に導く注水案内鍔部を設け、前記注水案内鍔部に洗濯水が前記洗濯槽６１の内周側に沿うように落ちる落水孔を設けたことを特徴とする。
（２）．上記（１）の洗濯機にあって、前記落水孔は前記出入口の間口幅方向に複数並んでいることを特徴とする。
（３）．上記（１）の洗濯機にあって、前記洗濯槽６１は、洗濯槽６１の内底中央に設ける回転自在なる回転翼と、洗濯槽６１の内周上部に設けるバランスリング６３を備え、前記落水孔は、前記回転翼の外周と前記バランスリング６３の内周との間に跨る範囲の上方に位置することを特徴とする。
（４）．上記（１）−（３）の何れかの洗濯機にあって、前記落水孔からの落下洗濯水は遠心脱水で前記洗濯槽６１の内周面に張り付いた洗たく物に散布されることを特徴とする。
（５）．上記（４）の洗濯機にあって、前記落下洗濯水の散布は、洗濯物６５に含まれる水が遠心脱水される回転速度で前記洗濯槽６１を回しながらすることを特徴とする。
（６）．上記（５）の洗濯機にあって、前記散布をしながら回す前記洗濯槽６１の回転速度は、前記散布が伴わない定常遠心脱水の回転速度よりも低いことを特徴とする。
（７）．上記（１）の洗濯機にあって、前記出し入れ方向から見て左右の隣り合わせになる洗剤投入室と仕上げ剤投入室を有する前記注水ケース３２は、前記洗剤投入室の底部が奥側の洗剤流出口４８に向かって下るように傾き、仕上剤投入室にはサイホン機構４６を備えることを特徴とする。
（８）．上記（７）の洗濯機にあって、前記洗剤投入室は前記洗剤流出口４８に寄せて前記底部から立つ複数の流止ピン４３を有し、前記流止ピン４３の数が前記洗剤流出口４８から注水ケース３２の前側に行くに従い中央から両端側に向かって徐々に少なくなることを特徴とする洗濯機。
（９）．上記（８）の洗濯機にあって、前記洗剤投入室４０の底部は中央が両端側よりも低いことを特徴とする。
（１０）．上記（１）の洗濯機にあって、前記注水ケース３２が収まる前記ケース収納枠部３１は天井に複数の給水穴４５を有し、前記ケース収納枠部３１の上方に設けた給水室から供給される給水は前記給水穴４５から前記注水ケース３２に流入することを特徴とする。
（１１）．上記（１）の洗濯機にあって、前記ケース収納枠部３１は底部が前記出入口に向かって下る傾きを有し、前記注水ケース３２は、前記ケース収納枠部３１の底部と前記注水ケース３２の底部の外底面との間に間隙を保って前記ケース収納枠部３１に収納されることを特徴とする。
（１２）．上記（１１）の洗濯機にあって、前記ケース収納枠部３１は、奥側から前記出入口に向かう途中に前記ケース収納枠部３１の底部が落ち込む段部を有し、前記段部の下端から前記出入口に延在する前記注水案内鍔部５５を有することを特徴とする。
（１３）．上記（１２）の洗濯機にあって、前記注水案内鍔部５５は前記出入口に向かって下る傾きを有することを特徴とする。
（１４）．上記（１１）の洗濯機にあって、前記注水ケース３２は、前記ケース収納枠部３１に注水ケース３２が収まった状態で前記出入口５１を塞ぐように覆う前面パネル４９を有し、この収まった状態で前記前面パネル４９の下端と前記注水案内鍔部５５の上面との間に注水隙間ができることを特徴とする。
（１５）．上記（１４）の洗濯機にあって、前記ケース収納枠部の前記段部と前記注水案内鍔部５５と前記前面パネル４９で囲われてできる注水堰を有することを特徴とする。
【符号の説明】
【００７４】
１…外枠
２…外枠ベース
３…トップカバー
４…蓋４
５…コントロールパネル
１０１…制御ユニット部
１０２…入力回路部
１０３…出力駆動回路部
１０５…ＣＰＵ（中央制御部）
１０６…タイマー
１０７…メモリー
１０８…入力ポート
１０９…出力ポート
１０５ａ…演算部
１０５ｂ…制御部
１０７…メモリー
１２１…電源スイッチ
１２２…水位センサー
１２３…ＩＣホール素子
１２４…蓋開閉センサー
１２５…全自動選択キー
１２６…マニアル設定キー
１２７…布量センサー
１３１…ＤＣブラシレスモータ
１３２…給水電磁弁
１３３…排水電磁弁
１３４…蓋ロックソレノイド
１３５…終了ブザー
３１…ケース収納枠部
３２…注水ケース
３３…給水部
３４…天板
３５…囲壁部
３７…導水筒
３８…整流体
４０…洗剤投入室
４１…仕上剤投入室
４２…仕切部
４８…洗剤流出口
４５…給水穴
４３…流止ピン
４４…洗剤
４６…サイホン機構
４９…前面パネル
４７…取っ手
５０…洗濯物出入口
５１…出入口
５２…口縁枠
５３…底部
５４…段部
５５…注水案内鍔部
５６…隙間
５７…注水堰
５８…間隙
５９…切欠き溝
６０…落水孔
６１…洗濯槽
６３…バランスリング
６４…槽カバー
６２…回転翼
６５…洗濯物
６６…脱水穴
６７…外槽
【図１】
2012125324.tif 000003
【図２】
2012125324.tif 000004
【図３】
2012125324.tif 000005
【図４】
2012125324.tif 000006
【図５】
2012125324.tif 000007
【図６】
2012125324.tif 000008
【図７】
2012125324.tif 000009
【図８】
2012125324.tif 000010
【図９】
2012125324.tif 000011
【図１０】
2012125324.tif 000012